(57)【要約】【課題】窓からの採光の阻害を最小限に抑えることができ、表示装置のコードを容易に目隠しすることができる家具を提供する。【解決手段】本実施の形態に係る家具は、天板２１を有する基台２と、前記天板２１の上面から立ち上がり、パネル状の表示装置４２を支持する装置支持体３とを備える家具１において、前記装置支持体３は中空であり、前記装置支持体３の外面に前記表示装置４２が取り付けられ、前記表示装置４２が取り付けられる面に、前記表示装置４２に接続されているコードを前記装置支持体３の内部に挿入するための挿入口３３１が設けられており、前記装置支持体３の前記表示装置４２が取り付けられる面に沿う横方向の長さは、前記基台２の前記横方向の長さより短いことを特徴とする。【選択図】図２
2018108122.tif 000002
【特許請求の範囲】
【請求項１】
天板を有する基台と、
前記天板の上面から立ち上がり、パネル状の表示装置を支持する装置支持体と
を備える家具において、
前記装置支持体は中空であり、
前記装置支持体の外面に前記表示装置が取り付けられ、
前記表示装置が取り付けられる面に、前記表示装置に接続されているコードを前記装置支持体の内部に挿入するための挿入口が設けられており、
前記装置支持体の前記表示装置が取り付けられる面に沿う横方向の長さは、前記基台の前記横方向の長さより短いことを特徴とする家具。
【請求項２】
前記表示装置は、前記装置支持体の下端部以外を覆われるようにして前記外面に取り付けられ、
前記挿入口は、前記表示装置に覆われる部分に設けられていることを特徴とする請求項１に記載の家具。
【請求項３】
前記天板及び前記装置支持体夫々の互いに対向する部分に、前記天板の下側と前記装置支持体の内部とを連通する連通口が設けられており、
前記装置支持体の前記表示装置が取り付けられる面の逆側の外面に、前記装置支持体の内外に通じる窓孔が設けられていることを特徴とする請求項１又は２に記載の家具。
【請求項４】
前記窓孔は、手を挿入することが可能な大きさを有することを特徴とする請求項３に記載の家具。
【請求項５】
前記基台は、
前記天板が架け渡される２枚の側板と、
前記天板の下側で前記２枚の側板に架け渡される底板と、
前記連通口よりも前記表示装置が取り付けられる面の側に配され、前記天板及び前記底板の間で前記２枚の側板に架け渡される棚板と、
前記連通口よりも前記表示装置が取り付けられる面の側に配され、前記棚板及び前記天板に亘り、前記２枚の側板に架け渡される背板と
を更に有することを特徴とする請求項３又は４に記載の家具。
【請求項６】
前記基台の前記２枚の側板、前記底板、及び前記棚板に囲まれた開口を閉鎖するように、前記基台に着脱可能に装着される蓋板を更に備えることを特徴とする請求項５に記載の家具。
【請求項７】
前記背板は前記天板に固定されており、
前記装置支持体は、前記表示装置が取り付けられる面を持つ装置取付板を有し、
該装置取付板は、前記背板の上側に位置していることを特徴とする請求項６に記載の家具。
【請求項８】
前記装置支持体の外面は、全面的に化粧されていることを特徴とする請求項１から７の何れか一項に記載の家具。
【発明の詳細な説明】
【技術分野】
【０００１】
本発明は、パネル状の表示装置を支持する家具に関する。
【背景技術】
【０００２】
従来、液晶ディスプレイのようなパネル状の表示装置が取り付けられる家具が提案されている（例えば特許文献１参照）。
特許文献１に記載の家具は、基台と支持部材とベースパネルとを備える。基台は床に載置される。ベースパネルは基台の天板の上面に立設される。支持部材は、天板の上面又はベースパネルの前面に取り付けられる。表示装置は、ベースパネルが表示装置の背面全体を覆うようにして、支持部材に取り付けられる。
【０００３】
表示装置に接続されているコードは、天板におけるベースパネルの手前側に設けられている挿通孔を通して基台の内部に引き入れられる。挿通孔と、表示装置から挿通孔まで延びるコードとは、ベースパネルと、天板の上面から立ち上がる半筒状のカバー部材とによって目隠しされる。
【先行技術文献】
【特許文献】
【０００４】
【特許文献１】特開２０１４−９０８７３号公報
【発明の概要】
【発明が解決しようとする課題】
【０００５】
特許文献１に記載の家具には２つの問題がある。
第１の問題は、部屋のレイアウトの制約によって、表示装置を窓の前側に配置しなければならない場合、表示装置の背面全域を覆うほど大きいベースパネルが、窓からの採光を著しく阻害する、ということである。
第２の問題は、表示装置のコードが挿通孔に挿し通された後で、表示装置から挿通孔まで延びるコードがカバー部材で覆われるので、コードの目隠しが面倒である、ということである。
【０００６】
本発明は斯かる事情に鑑みてなされたものであり、その主たる目的は、窓からの採光の阻害を最小限に抑えることができ、表示装置のコードを容易に目隠しすることができる家具を提供することにある。
【課題を解決するための手段】
【０００７】
本実施の形態に係る家具は、天板を有する基台と、前記天板の上面から立ち上がり、パネル状の表示装置を支持する装置支持体とを備える家具において、前記装置支持体は中空であり、前記装置支持体の外面に前記表示装置が取り付けられ、前記表示装置が取り付けられる面に、前記表示装置に接続されているコードを前記装置支持体の内部に挿入するための挿入口が設けられており、前記装置支持体の前記表示装置が取り付けられる面に沿う横方向の長さは、前記基台の前記横方向の長さより短いことを特徴とする。
【０００８】
本実施の形態に係る家具は、前記表示装置は、前記装置支持体の下端部以外を覆われるようにして前記外面に取り付けられ、前記挿入口は、前記表示装置に覆われる部分に設けられていることを特徴とする。
【０００９】
本実施の形態に係る家具は、前記天板及び前記装置支持体夫々の互いに対向する部分に、前記天板の下側と前記装置支持体の内部とを連通する連通口が設けられており、前記装置支持体の前記表示装置が取り付けられる面の逆側の外面に、前記装置支持体の内外に通じる窓孔が設けられていることを特徴とする。
【００１０】
本実施の形態に係る家具は、前記窓孔は、手を挿入することが可能な大きさを有することを特徴とする。
【００１１】
本実施の形態に係る家具は、前記基台は、前記天板が架け渡される２枚の側板と、前記天板の下側で前記２枚の側板に架け渡される底板と、前記連通口よりも前記表示装置が取り付けられる面の側に配され、前記天板及び前記底板の間で前記２枚の側板に架け渡される棚板と、前記連通口よりも前記表示装置が取り付けられる面の側に配され、前記棚板及び前記天板に亘り、前記２枚の側板に架け渡される背板とを更に有することを特徴とする。
【００１２】
本実施の形態に係る家具は、前記基台の前記２枚の側板、前記底板、及び前記棚板に囲まれた開口を閉鎖するように、前記基台に着脱可能に装着される蓋板を更に備えることを特徴とする。
【００１３】
本実施の形態に係る家具は、前記背板は前記天板に固定されており、前記装置支持体は、前記表示装置が取り付けられる面を持つ装置取付板を有し、該装置取付板は、前記背板の上側に位置していることを特徴とする。
【００１４】
本実施の形態に係る家具は、前記装置支持体の外面は、全面的に化粧されていることを特徴とする。
【００１５】
本実施の形態にあっては、装置支持体の横方向の長さは、基台の横方向の長さより短い。ここで言う横方向とは、表示装置が取り付けられる面に沿う横方向である。故に、装置支持体に支持されている表示装置を窓の前側に配置した場合、窓からの採光の阻害を最小限に抑えることができる。
表示装置に接続されているコードは、装置支持体に設けられている挿入口を通して、装置支持体の内部に挿入される。挿入口は、装置支持体における表示装置が取り付けられる面に設けられているので、表示装置によって目隠しされ易い。故に、カバー部材のようなものでコードを別途覆う必要がない。従って、表示装置のコードを容易に目隠しすることができる。
【００１６】
本実施の形態にあっては、装置支持体の下端部以外が表示装置に覆われる。つまり、装置支持体は表示装置より小さい。故に、装置支持体に支持されている表示装置を窓の前側に配置した場合、装置支持体が表示装置以上に窓を覆う虞はない。故に、窓からの採光の阻害をより確実に最小限に抑えることができる。
一方、装置支持体の下端部は表示装置に覆われない。装置支持体の下端部は表示装置の脚部であるかのように見える。
挿入口と、表示装置から挿入口まで延びるコードとは、表示装置によって覆われるので、表示装置のコードをより確実に目隠しすることができる。
【００１７】
本実施の形態にあっては、装置支持体の内部に挿入されたコードを、基台の天板及び装置支持体夫々に設けられている連通口を通して、天板の下側に引き出すことができる。或いは、装置支持体の内部に挿入されたコードを、装置支持体に設けられている窓孔を通して、装置支持体から引き出すことができる。つまり、コードの配線の自由度が高い。
【００１８】
本実施の形態にあっては、装置支持体に設けられている窓孔に手を挿入して、コードを配線することができる。つまり、コードの配線作業が容易である。
【００１９】
本実施の形態にあっては、棚板又は底板に物品を載置することができる。
背板は、棚板に載置された物品が棚板から背後へ落下することを防止する。
基台の内部における天板、棚板、背板、底板、及び２枚の側板に囲まれた空間は、基台の天板及び装置支持体夫々に設けられている連通口に通じる。故に、この空間に、例えば天板の下側に引き出されたコードを収容することができる。
【００２０】
本実施の形態にあっては、背板と基台に装着された蓋板とが、基台の内部における天板、棚板、背板、底板、及び２枚の側板に囲まれた空間を目隠しすることができる。
基台から蓋板が取り外されている場合、基台の２枚の側板、底板、及び棚板に囲まれた開口を通して、例えば天板の下側に引き出されたコードを点検することができる。
【００２１】
本実施の形態にあっては、天板に固定されている背板が天板を補強するリブとして機能する。しかも、背板の上側に装置取付板が位置している。故に、装置支持体及び装置取付板に取り付けられた表示装置の重量によって基台の天板が下向きに撓むことを抑制することができる。
【００２２】
本実施の形態にあっては、装置支持体の外面が全面的に化粧されているので、家具の美観が向上する。
【発明の効果】
【００２３】
本実施の形態の家具による場合、表示装置のコードを容易に目隠しすることができ、窓からの採光の阻害を最小限に抑えることができる。
【図面の簡単な説明】
【００２４】
【図１】実施の形態に係る家具を略示する斜視図である。
【図２】家具を略示する正面図である。
【図３】図２におけるIII −III 線による家具の断面図である。
【図４】図２におけるIV−IV線による家具の断面図である。
【図５】家具が備える装置支持体を略示する斜視図である。
【発明を実施するための形態】
【００２５】
以下、本発明を、その実施の形態を示す図面に基づいて詳述する。
【００２６】
図１は、実施の形態に係る家具を略示する斜視図である。
図２は、家具を略示する正面図である。
図３は、図２におけるIII −III 線による家具の断面図である。
図中１は家具であり、家具１は、基台２と装置支持体３とを備える。
【００２７】
基台２は、天板２１、２枚の側板２２，２２、及び底板２３を備える。天板２１〜底板２３夫々は、一方向に長い矩形状の平板であり、互いに同程度の幅を有する。側板２２，２２は互いに同形である。
基台２は、側板２２，２２を互いに適長離隔して平行に対向させ、側板２２，２２間に天板２１及び底板２３を架設することによって構成される。天板２１は、天板２１の長さ方向の両端部が側板２２，２２夫々の長さ方向の一端面に接触するよう、側板２２，２２夫々の長さ方向の一端部間に架設される。底板２３は、天板２１と平行になるよう、側板２２，２２夫々の長さ方向の他端部間に架設される。本実施の形態においては、底板２３は、側板２２，２２夫々の長さ方向の他端面から天板２１側に適長離隔した位置に配される。
【００２８】
基台２は、天板２１が底板２３の上側に位置するように、側板２２，２２夫々が床４１に立てられることによって、床４１に載置される。
以下では、天板２１の長さ方向を左右方向といい、天板２１の幅方向を前後方向という。
【００２９】
底板２３の上面は、物品を載置するために用いられる。
底板２３には蹴込板２３１が取り付けられる。蹴込板２３１は一方向に長い矩形状の平板である。蹴込板２３１の幅方向の一端部は、底板２３の前後方向の一端部と蹴込板２３１とが基台２の蹴込を形成するように、底板２３の下面に取り付けられる。
以下では、基台２の蹴込側を前側という。
【００３０】
基台２は、棚板２４及び背板２５を更に備える。棚板２４及び背板２５夫々は、一方向に長い矩形状の平板である。棚板２４は、底板２３の前後方向の長さの半分程度の幅を有する。背板２５は、側板２２の上下方向の長さの半分程度の幅を有する。
棚板２４は、天板２１と平行になるよう、側板２２，２２間に架設される。棚板２４の上下方向の配置位置は、天板２１と底板２３との中間である。棚板２４の前端部の前後方向の配置位置は、天板２１の前端面よりも後側である。棚板２４の後端部の配置位置は、天板２１の前後方向中央部の下側である。
棚板２４の上面は、物品を載置するために用いられる。
【００３１】
棚板２４には支え板２４１が取り付けられる。支え板２４１は一方向に長い矩形状の平板である。支え板２４１の幅方向の一端部は、支え板２４１が側板２２，２２間に亘って棚板２４の上面から立ち上がるように、棚板２４の前端部に取り付けられる。支え板２４１は、棚板２４に載置された物品を前側から支えることによって、物品が棚板２４から落下することを防止する。
なお、支え板２４１は、棚板２４に載置されている物品の前側からの視認を妨げないように、透光性を有することが望ましい。例えば支え板２４１はアクリル樹脂製である。また、支え板２４１の棚板２４への取り付けに替えて、例えば、非透光性を有する棒材が、棚板２４の前端部の上側にて側板２２，２２間に架設されていてもよい。
【００３２】
背板２５は、天板２１の前後方向中央部と棚板２４の後端部との間に亘るよう、側板２２，２２間に架設される。背板２５は、棚板２４に載置された物品を後側から支えることによって、物品が棚板２４から落下することを防止する。
背板２５は、天板２１及び棚板２４の内、少なくとも天板２１に固定される。天板２１に固定されている背板２５は、天板２１を補強するリブとしても機能する。背板２５に補強されることによって、天板２１の長さ方向の曲げ剛性が高まる。
【００３３】
基台２の内部の前上側には、天板２１、側板２２，２２、棚板２４、及び背板２５に囲まれた側面視矩形状の空間が生じる。基台２の内部の後下側には、天板２１、側板２２，２２、底板２３、棚板２４、及び背板２５に囲まれた側面視Ｌ字状の空間（以下、基台２の内部の空間という）が生じる。
基台２の後部における天板２１、側板２２，２２、及び底板２３に囲まれた部分は、全面的に開口している。基台２の後部の開口は、基台２の後側の空間と、基台２の内部の空間とに通じる。
基台２の前下部における側板２２，２２、底板２３、及び棚板２４に囲まれた部分は、全面的に開口している。基台２の前下部の開口は、基台２の前側の空間と、基台２の内部の空間とに通じる。
【００３４】
家具１は、蓋板１１を更に備える。
蓋板１１は、一方向に長い矩形状の平板である。蓋板１１は、基台２の前下部の開口を前側から閉鎖するように、基台２に着脱可能に装着される。蓋板１１は、蓋板１１の長辺が左右方向に延び、蓋板１１の一面（以下、後面という）が後側に向くようにして、基台２に装着される。
【００３５】
蓋板１１を基台２に装着するために、４個の係合部材１１１，１１１，…及び４個の被係合部材２２１，２２１，…が用いられる。
係合部材１１１，１１１，…は、蓋板１１の後面における２つの短辺部夫々に２つずつ取り付けられる。２つの係合部材１１１，１１１は、短辺部に沿って並置される。係合部材１１１は、蓋板１１から突出する突出部分と、この突出部分に設けられた凹状部分とを有する。
被係合部材２２１，２２１，…は、側板２２，２２の互いに対向している面の前端部夫々に２つずつ取り付けられる。２つの被係合部材２２１，２２１は、上下方向に並置される。被係合部材２２１は、側板２２から突出する凸状部分を有する。被係合部材２２１の凸状部分が、係合部材１１１の凹状部分に嵌脱可能に嵌め込まれる。
なお、係合部材１１１及び被係合部材２２１は、例えば磁石及び鉄材でもよい。
【００３６】
図４は、図２におけるIV−IV線による家具１の断面図である。
図５は、家具１が備える装置支持体３を略示する斜視図である。
図１〜図５に示す装置支持体３は、２枚の側板３１，３１、天板３２、前板（装置取付板）３３、及び背板３４を備える。側板３１〜背板３４夫々は、一方向に長い矩形状の平板であり、例えば木材（無垢材又は木質材）製である。側板３１，３１及び天板３２は互いに同程度の幅を有する。側板３１，３１は互いに同形である。
【００３７】
装置支持体３は、側板３１，３１を互いに適長離隔して平行に対向させ、側板３１，３１間に天板３２、前板３３、及び背板３４を次に述べるように架設することによって構成される。天板３２は、天板３２の長さ方向の両端部が側板３１，３１夫々の長さ方向の一端部に取り付けられることによって、側板３１，３１間に架設される。前板３３は、前板３３の幅方向の両端部が側板３１，３１夫々の幅方向の一端部に取り付けられることによって、天板３２に直角に側板３１，３１間に架設される。また、前板３３の長さ方向の一端部が天板３２の幅方向の一端部に取り付けられる。背板３４は、背板３４の幅方向の両端部が側板３１，３１夫々の幅方向の他端部に取り付けられることによって、前板３３に平行に側板３１，３１間に架設される。また、背板３４の長さ方向の一端部が天板３２の幅方向の他端部に取り付けられる。
【００３８】
装置支持体３は、２枚の補強板３５，３５及び２枚の底板３６，３６を更に備える。補強板３５〜底板３６夫々は、一方向に長い矩形状の平板であり、例えば木材製である。
補強板３５，３５は、装置支持体３の内部を３つに分割するように、側板３１，３１に平行に配される。各補強板３５の長さ方向の一端部は天板３２に取り付けられ、補強板３５の幅方向の両端部は前板３３及び背板３４に取り付けられる。補強板３５，３５は、装置支持体３を補強して、装置支持体３の変形を抑制する。
【００３９】
装置支持体３は、側板３１，３１、前板３３、及び背板３４からなる矩形筒を含む。この矩形筒は、２つの開口を有する。一方の開口は、天板３２によって全面的に閉鎖される。他方の開口は、補強板３５，３５によって３つの小開口に区分けされる。
３つの小開口の内、２つの小開口は、底板３６，３６によって閉鎖される。底板３６によって閉鎖される小開口は、隣り合う側板３１及び補強板３５間に位置する。各底板３６の長さ方向の両端部は、隣り合う側板３１及び補強板３５夫々の長さ方向の他端部に取り付けられている。各底板３６の幅方向の両端部は、前板３３及び背板３４夫々の長さ方向の他端部に取り付けられている。
３つの小開口の内、補強板３５，３５間に位置する小開口は、開放されている。以下では、この小開口を連通口３６１という。
【００４０】
装置支持体３は、天板３２が底板３６，３６の上側に位置し、前板３３が背板３４の前側に位置するように、基台２の天板２１に取り付けられる。装置支持体３は、基台２の天板２１の上面から上向きに立ち上がり、側板３１，３１は左右を向く。装置支持体３の配置位置は、前板３３が基台２の背板２５の上側に位置するような、天板２１の左右方向の中央部の後側である。
【００４１】
基台２の天板２１における装置支持体３に覆われている部分には、矩形状の連通口２１１が設けられる。連通口２１１は、基台２の棚板２４及び背板２５よりも後側に配される。連通口２１１，３６１は、基台２及び装置支持体３夫々の互いに対向する部分に設けられる。連通口２１１，３６１は、天板２１の下側の空間（基台２の内部の空間）と、装置支持体３の内部における天板３２、前板３３、背板３４、及び補強板３５，３５に囲まれた空間（以下、装置支持体３の内部の空間という）とを連通する。本実施の形態における連通口２１１，３６１夫々は、手を挿入することが可能な大きさを有する。
【００４２】
装置支持体３の前板３３には、挿入口３３１が設けられている。挿入口３３１は丸孔である。挿入口３３１の上下方向の配置位置は、前板３３の上下方向の中央部である。挿入口３３１の左右方向の配置位置は、補強板３５，３５間である。挿入口３３１は、前板３３の前側の空間と装置支持体３の内部の空間とに通じる。
装置支持体３の背板３４には、矩形状の窓孔３４１が設けられている。窓孔３４１は装置支持体３の背板３４の下部が切り欠かれたような切り欠き状をなす。窓孔３４１の左右方向の配置位置は、補強板３５，３５間である。窓孔３４１は、背板３４の後側の空間と装置支持体３の内部の空間とに通じ、連通口３６１に連続している。窓孔３４１は、手を挿入することが可能な大きさを有する。
【００４３】
装置支持体３の左右方向の長さ（装置支持体３の、後述するように表示装置４２が取り付けられる面に沿う横方向の長さ）は、天板２１の左右方向の長さより短い。装置支持体３の前後方向の長さは、天板２１の前後方向の長さより短い。
天板２１の上面における装置支持体３の左右両側及び前側には、物品を載置することが可能である。
【００４４】
装置支持体３の外面は、全面的に化粧される。本実施の形態においては、側板３１，３１、天板３２、前板３３、及び背板３４からなる箱体の外面に、メラミン樹脂を用いてなる化粧用の薄板が貼り付けられる。この箱体の５つの外面（前面、後面、左右両側面、及び天面）夫々は、１枚の化粧用の薄板によって、全面的に覆われる。故に、この箱体の見苦しい部分（例えば、一の板材の一面に他の板材の端面が隣り合う部分）が目隠しされる。
蓋板１１と基台２の天板２１、側板２２，２２、底板２３、蹴込板２３１、棚板２４、及び背板２５夫々は、少なくとも人目に付く面が化粧された板材であり、非透光性を有する。例えば、これらは木材製の矩形平板に化粧用の薄板が貼り付けられたものである。
蓋板１１、基台２、及び装置支持体３夫々に係る化粧は、色彩、模様、光沢、及び質感等が共通又は調和していることが望ましい。
【００４５】
以上のように構成された家具１は、装置支持体３の前板３３の前面に表示装置４２を取り付けた状態で使用される。
表示装置４２はパネル状のディスプレイであり、例えば液晶ディスプレイである。表示装置４２は壁掛け設置が可能な構成である。
表示装置４２の取り付けのために、前板３３の前面（表示装置４２が取り付けられる面）には、表示装置４２を壁掛け設置する場合に用いられる壁掛け用金具４３が、挿入口３３１を覆わないように取り付けられる。壁掛け用金具４３は、前板３３に取り付けられる部分と表示装置４２が取り付けられる２つの装置取付部とを有し、２つの装置取付部は、挿入口３３１の左右両側に配される。
【００４６】
表示装置４２は、表示装置４２の表示面を前側にして、壁掛け用金具４３に取り付けられる。この結果、表示装置４２は、装置支持体３に支持される。
基台２の棚板２４及び背板２５は、連通口２１１よりも表示装置４２が取り付けられる面の側（前側）に配される。窓孔３４１は、装置支持体３の表示装置４２が取り付けられる面の逆側の外面（背板３４の後面）に設けられる。
【００４７】
表示装置４２の上端部の上下方向の配置位置は、装置支持体３の天板３２の基台２よりも上側である。表示装置４２の左右方向の長さは装置支持体３の左右方向の長さよりも長い。表示装置４２は、装置支持体３の下端部以外を前側から覆う。故に、挿入口３３１は表示装置４２に覆われる。
装置支持体３の上下方向中央部から上端部までが表示装置４２によって前側から目隠しされる。故に、装置支持体３は目立たない。
一方、装置支持体３の下端部は表示装置４２によって目隠しされていない。しかしながら、装置支持体３の下端部は、表示装置４２の脚部であるかのように見える。つまり、装置支持体３の表示装置４２に目隠しされていない部分が美観を損ねる虞はない。
【００４８】
表示装置４２にはコード類（例えば電源コード４２１）が接続されている。コード類は、表示装置４２を壁掛け用金具４３に取り付ける前に、挿入口３３１に前側から挿し通される。挿入口３３１に挿し通されたコード類は、装置支持体３の内部の空間に挿入される。挿入口３３１の大きさは、コード類を容易に挿し通せる大きさである。
装置支持体３の内部の空間に挿入されたコード類は、装置支持体３の連通口３６１及び基台２の天板２１の連通口２１１を通して、基台２の内部の空間に引き入れられる。このような配線作業は、基台２の後ろ側から窓孔３４１、又は窓孔３４１及び連通口２１１，３６１に手を挿入して行なわれる。
【００４９】
コード類が基台２の内部の空間に引き入れられた後で、図３に示すように、基台２は壁４４に寄せられる。
本実施の形態では、装置支持体３の背板３４の後面と基台２の底板２３及び天板２１夫々の後端面とが面一である。故に、家具１を壁４４に隙間なく接触させることができる。基台２と壁４４との間に隙間がないので、底板２３又は天板２１に載置された物品が後側へ落下することが防止される。
なお、家具１の無用な移動、又は家具１の転倒等を防止するために、基台２が壁に固定されてもよい。ただし、基台２を壁に固定する場合でも、装置支持体３を壁に固定する必要はない。
【００５０】
基台２と壁４４との間に隙間がないので、基台２の内部の空間に引き入れられたコード類を配線する作業は、蓋板１１が外された状態の基台２の前側から基台２の内部の空間を通して行なわれる。なお、基台２の内部の空間に引き入れられたコード類を配線する作業は、基台２が壁４４に寄せられる前に基台２の後側で行なわれてもよい。
基台２の内部の空間に引き入れられたコード類の内、電源コード４２１は、基台２の後部の開口を通して、壁４４の床４１の近傍に設けられたコンセント４５に接続される。表示装置４２がテレビジョン受信機である場合、基台２の内部の空間に引き入れられたコード類の内、例えばアンテナ接続用のコードが、コンセント４５の近傍に設けられたアンテナ接続用の端子に接続される。表示装置４２が、ネットワークを経由して送られてきた映像を表示する場合、基台２の内部の空間に引き入れられたコード類の内、例えばネットワーク接続用のコードが、基台２の底板２３に載置されたネットワーク接続用の装置に接続される。
【００５１】
なお、装置支持体３の内部の空間に挿入されたコード類は、背板３４の窓孔３４１を通して、装置支持体３の後側に引き出されてもよい。装置支持体３の後側に引き出されたコード類の内、電源コード４２１は、例えば壁４４のコンセント４５よりも高い部分に設けられたコンセントに接続される。
【００５２】
以上のように配線されたコード類は、家具１によって目隠しされる。
挿入口３３１と、表示装置４２から挿入口３３１まで延びるコード類とは、表示装置４２によって前側から目隠しされる。故に、カバー部材のようなものでコード類を別途覆う必要がない。従って、表示装置４２のコード類を容易に目隠しすることができる。
また、装置支持体３の内部に挿入されたコード類を、コード類の接続先の配置位置に応じて、適宜に配線することができる。つまり、コード類の配線の自由度が高い。
窓孔３４１及び連通口２１１，３６１には手を挿入することができる。しかも窓孔３４１と連通口３６１とが連続している。故に、コード類の配線作業が非常に容易である。
【００５３】
背板２５と基台２に装着されている蓋板１１とは、基台２の内部の空間を目隠しすることができる。
基台２から蓋板１１が取り外されている場合、基台２の前下部の開口を通して、例えば基台２の内部の空間に引き入れられているコード類を点検することができる。
家具１においては、コード類の配線及び点検等が容易である。故に、家具１は、例えば複数の家具１，１，…をホテルの複数の客室に設置する場合に特に好適である。
【００５４】
装置支持体３及び表示装置４２の重量は、天板２１を下向きに撓ませる方向に天板２１に働く。しかしながら、基台２の背板２５が、装置支持体３の前板３３の下側で天板２１を補強するので、天板２１が下向きに撓むことが抑制される。即ち、家具１の無用な変形が抑制される。
【００５５】
表示装置４２が窓を覆わないように基台２が床４１に設置されれば、家具１及び表示装置４２は窓からの採光を阻害しない。
ところで、部屋のレイアウトの制約によっては、壁掛け型の表示装置４２を、表示装置４２が窓を覆うようにして窓の前側に配置しなければならない場合がある。この場合、窓に表示装置４２の壁掛け用金具４３を取り付けることはできない。故に、表示装置４２を装置支持体３に取り付けることができ、しかも、図２に示すように、表示装置４２が窓４６を覆うようにして表示装置４２を窓４６の前側に配置することができる家具１は有用である。
【００５６】
基台２の天板２１の床４１からの高さは、窓４６の下端の床４１からの高さより低い。故に、基台２が窓４６を覆う虞はない。また、基台２の化粧されていない部分が、窓４６を通して部屋の外から見えたり窓４６に映ったりする虞はない。
【００５７】
窓４６を覆う表示装置４２は、窓からの採光を阻害する。一方、装置支持体３が表示装置４２以上に窓４６を覆うことはない。故に、装置支持体３が窓４６からの採光を阻害することは抑制される。つまり、窓４６からの採光の阻害を最小限に抑えることができる。
装置支持体３の外面は全面的に化粧されている。故に、装置支持体３が窓４６を通して部屋の外から見えたり窓４６に映ったりしても、装置支持体３が美観を損ねる虞はない。
【００５８】
本実施の形態の家具１を図２に示すように窓際に設置する場合、窓枠４６１又はカーテン等を装置支持体３の後側に配置することができるように、家具１と壁４４との間に空間を設ける必要がある。
なお、装置支持体３は、装置支持体３の背板３４の後面が基台２の天板２１の後端面よりも前側に位置するように、基台２に取り付けられてもよい。この場合、基台２を壁４４に接触させて基台２と壁４４との隙間をなくし、且つ、窓枠４６１又はカーテン等を装置支持体３の後側に配置することができる。
【００５９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００６０】
１      家具
１１    蓋板
２      基台
２１    天板
２２    側板
２３    底板
２４    棚板
２５    背板
２１１，３６１  連通口
３      装置支持体
３３    前板（装置取付板）
３３１  挿入口
３４１  窓孔
４２    表示装置
４２１  電源コード（コード）
【図１】
2018108122.tif 000003
【図２】
2018108122.tif 000004
【図３】
2018108122.tif 000005
【図４】
2018108122.tif 000006
【図５】
2018108122.tif 000007